【事件の表示】
　特願２００８−　７６５８７「デジタルビデオ符号化処理における可変精度ピクチャ間タイミング指定方法及び装置」拒絶査定不服審判事件〔平成２０年　８月１４日出願公開、特開２００８−１８７７３５〕について、次のとおり審決する。
【結　論】
　本件審判の請求は、成り立たない。
【理　由】
第１　経緯
１　経緯
　本願は、２００３年７月１１日（パリ条約による優先権主張外国庁受理２００２年７月１５日、２００２年１１月８日米国）を国際出願日とする出願（特願２００５−５０５１２０号）の一部を新たに特許出願したものであって、平成２０年５月１６日付けで拒絶理由が通知され、これに対し、平成２０年１１月２７日付けで意見書が提出されると同時に手続補正がなされたが、平成２１年２月１２日付け（発送日同年２月２４日）で拒絶査定がなされたものである
　本件は、本願についてなされた上記拒絶査定を不服として平成２１年５月２５日付けで請求された拒絶査定不服審判であって、平成２１年５月２５日付けで手続補正がなされ、さらに、平成２１年６月２３日付けで手続補正がなされたものである。
　　
２　査定の概要
　原査定の理由は、概略、次のとおりである。
　　
［査定の理由］
Ａ．この出願の請求項１〜１８に係る発明は、その出願前に日本国内又は外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　
　　　　　　　　　　　　　　　　記
引用文献１．Joint Video Team (JVT) of ISO/IEC MPEG and ITU-T VCEG, Working Draft Number 2, Revision 0 (WD-2) (JVT-B118), p.1,21,22,62-67, [online], 2001年12月3日, Joint Video Team (JVT), [2008年5月13日検索], インターネットURL:http://ftp3.itu.int/av-arch/jvt-site/2002_01_Geneva/JVT-B118.doc
　　
Ｃ．この出願の請求項１〜１８に係る発明は、その出願の日前の出願であって、その出願後に特許法第４１条第３項の規定により出願公開されたものとみなされた下記の特許出願の願書に最初に添付された明細書又は図面に記載された発明と同一であり、しかも、この出願の発明者がその出願に係る上記の発明をした者と同一ではなく、またこの出願の時において、その出願人が上記特許出願の出願人と同一でもないので、特許法第２９条の２の規定により特許を受けることができない。
　　
　　　　　　　　　　　　　　　　記
先願１．特願２００２−１９３０２７号（特開２００４−０８８７３７号）
　　
Ｄ．この出願は、特許請求の範囲の記載が下記の点で、特許法第３６条第６項第２号に規定する要件を満たしていない。
　　
　　　　　　　　　　　　　　　　　記
・理由Ｄ（２）
　請求項１の記載からは、依然としてどのように特定の値を計算するのか不明である。（請求項１０についても同様。）
・理由Ｄ（３）
　請求項１の記載からは、依然として、第３ビデオピクチャがどのピクチャを参照画像にして符号化されているのかが明らかでないから、どのピクチャと第３ビデオピクチャの間の動きベクトルであるのか不明である。（「第２ビデオピクチャのための動きベクトル」についても同様に不明。）（請求項１０についても同様。）
・理由Ｄ（４）
　請求項２における「特定のビデオピクチャのための順序値は、ビデオピクチャのシーケンスにおける前記特定のビデオピクチャのための位置を指定するためのものである」との記載は、依然としてシーケンスにおける位置がいかなる位置であるのか不明である。例えば、表示順のシーケンスにおける位置、符号化順のシーケンスにおける位置、メモリのアドレス位置等が考えられ、これらのうちのいずれか又はそれ以外なのか不明である。（請求項１１についても同様。）
　　
Ｅ．この出願は、特許請求の範囲の記載が下記の点で、特許法第３６条第６項第１号に規定する要件を満たしていない。
　　
　　　　　　　　　　　　　　　　　記
　請求項７，１６における「前記第２のビデオピクチャの前記順序値は、前記第２ビデオピクチャと関連するスライスヘッダに格納される値から得られる」との記載について、発明の詳細な説明には、順序差値がスライスヘッダに格納されることは記載されているが、順序値がスライスヘッダに格納されることについては記載がない。
　よって、請求項７，１６に係る発明は、発明の詳細な説明に記載したものでない。
　　
第２　補正却下の決定
１　平成２１年５月２５日付けの手続補正について次のとおり決定する。
 　 
［補正却下の決定の結論］
　平成２１年５月２５日付けの手続補正を却下する。
　　
［理由］
（１）補正の内容及び目的
　平成２１年５月２５日付けの手続補正（以下「本件補正１」という。）は、特許請求の範囲についてする補正である。
　補正前の請求項５、６、８、１４、１５、１７を削除する補正は、請求項の削除を目的とするものである。
　請求項１、２、７、８、１７、２２についてする補正は、補正前の請求項に記載した発明を特定するために必要な事項を限定するものであって、その補正前の請求項に記載された発明とその補正後の請求項に記載される発明の産業上の利用分野及び解決しようとする課題が同一であり、特許請求の範囲の減縮を目的とするものと認められる。
　請求項３〜６、９〜１６、１８〜２１についてする補正は、請求項１または７を引用するものであり、請求項１，７についてする補正は上記のとおり特許請求の範囲の減縮を目的とするものであるから、請求項３〜６、９〜１６、１８〜２１についてする補正は、特許請求の範囲の減縮を目的とするものである。
 　 
（２）独立特許要件 
　上記のとおり本件補正１は特許請求の範囲の減縮を目的としているので、本件補正１後における発明が特許出願の際独立して特許を受けることができるものであるか否かを、以下に検討する。
 　 
（３）補正後発明 
　補正後の請求項１に係る発明（以下「補正後発明１」という。）は、補正後の特許請求の範囲の請求項１に記載された下記のとおりのものである。 
　　
　　　　　記（補正後発明１）
「第１ビデオピクチャ、第２ビデオピクチャおよび第３ビデオピクチャのセットの内の少なくとも一つのビデオピクチャを復号化する方法であって
　（ｉ）第３ビデオピクチャの順序値と第１ビデオピクチャの順序値との間の第１の順序差値に反比例するとともに、
（ｉｉ）第２ビデオピクチャの順序値と第１ビデオピクチャの順序値との間の第２の順序差値に比例する
　特定値を計算するステップと、
　前記特定値と前記第３ビデオピクチャのための動きベクトルとを乗算して前記第２ビデオピクチャのための動きベクトルを計算するステップであって、前記第３ビデオピクチャのための動きベクトルが第３ビデオピクチャと第１ビデオピクチャ間の動きベクトルであり、前記第２ビデオピクチャのための動きベクトルが第２ビデオピクチャと第１ビデオピクチャ間の動きベクトルである、ステップと、
　前記第２ビデオピクチャを前記計算された該第２ビデオピクチャの動きベクトルを用いて復号化するステップと、
　を含むことを特徴とする方法。」
 　 
　補正後発明１は、復号化する方法である。しかしながら、発明の詳細な説明には符号化に関する記載はあるものの、復号化に関する記載はほとんどない（段落【００２１】に「デジタルビデオデコーダ」という文言があるだけである）。画像の符号化と復号化は、表裏一体の技術であり、符号化に関する記載から、復号化に関することが想定でき、符号化したものを復号化することが開示されていると認められる。
　発明の詳細な説明には、以下の記載がある。
　　
「各Ｂマクロブロックは２つの動きベクトルを使用する。１つは上記前のビデオピクチャを参照する第１動きベクトルであり、もう１つは後の（未来の）ビデオピクチャを参照する第２動きベクトルである。これら２つの動きベクトルから、２つの予測マクロブロックが計算される。そして２つの予測マクロブロックは所定の関数を利用して組み合わせられ、最終的な予測マクロブロックが作られる。上記したように、Ｂフレームピクチャの実際のマクロブロックと最終的な予測マクロブロックの差が符号化されて伝送される。」（段落【００２０】）
「Ｐマクロブロックの場合と同じように、Ｂマクロブロックの各動きベクトル（ＭＶ）を、予測符号化処理により伝送してもよい。つまり、この場合、予測動きベクトルは、近傍の動きベクトルを使用して形成される。そして、実際の動きベクトルと予測動きベクトルの差が符号化されて伝送される。
しかし、Ｂマクロブロックの場合、最も近い記録ピクチャマクロブロックの動きベクトルから動きベクトルを内挿する機会がある。このような内挿は、デジタルビデオエンコーダとデジタルビデオデコーダの双方で実行される。
この動きベクトル内挿は、カメラが静止背景にゆっくり近づいたり遠のいたりするときのビデオシーケンスのビデオピクチャに非常に有効である。事実、このような動きベクトル内挿はそれ単独で利用してもよいくらいである。つまり、これは、内挿を使用して符号化される上記Ｂマクロブロック動きベクトルに関して、差分情報を計算したり伝送したりする必要が無いことを意味する。」（段落【００２１】）
　　
　補正後発明１は、「前記第２ビデオピクチャを前記計算された該第２ビデオピクチャの動きベクトルを用いて復号化するステップ」を有しているが、発明の詳細な詳細をみても「前記第２ビデオピクチャを前記計算された該第２ビデオピクチャの動きベクトル」のみ「を用いて復号化する」ことは示されておらず、上記記載には、２つの動きベクトルから符号化することが示されており、このことから、２つの動きベクトルから復号化することが示されていると認められる。
　そうすると、補正後発明１の「前記第２ビデオピクチャを前記計算された該第２ビデオピクチャの動きベクトルを用いて復号化するステップ」は、「前記第２ビデオピクチャを前記計算された該第２ビデオピクチャの動きベクトルを用いて復号化」すればよく、「前記第２ビデオピクチャを前記計算された該第２ビデオピクチャの動きベクトル」と他の動きベクトル「を用いて復号化する」ことを排除するものではないと認められる。
　　
［理由１］
（４）先願１の記載 
　原査定の拒絶の理由に引用された特願２００２−１９３０２７号（特開２００４−０８８７３７号、上記先願１）の出願の願書に最初に添付した明細書、特許請求の範囲又は図面に対応する上記特開２００４−０８８７３７号公報の記載は次のとおりである。
　　
「　　【０００２】
　　【従来の技術】
　近年、マルチメディアアプリケーションの発展に伴い、画像、音声、及びテキストなど、あらゆるメディアの情報を統一的に扱うことが一般的になってきた。
　これにより、全てのメディアをディジタル化することにより統一的にメディアを扱うことが可能になる。
　　　【０００３】
　しかしながら、ディジタル化された画像は膨大なデータ量を持つため、蓄積又は伝送のためには、画像の情報圧縮技術が不可欠である。一方で、圧縮した画像データを相互運用するためには、圧縮技術の標準化も重要である。画像圧縮技術の標準規格としては、ＩＴＵ-Ｔ（国際電気通信連合　電気通信標準化部門）のＨ．２６１、Ｈ．２６３、ＩＳＯ（国際標準化機構）のＭＰＥＧ（Moving Picture Experts Group）-１、ＭＰＥＧ-２、ＭＰＥＧ-４などがある（例えば、非特許文献１参照。）。また、ＩＴＵでは、現在、最新の画像符号化規格としてＨ．２６４が標準化中であり、標準化過程におけるドラフト案はＨ．２６Ｌと呼ばれる。
　　　【０００４】
　ＭＰＥＧ-１，２，４及びＨ．２６３などの動画像符号化方式に共通の技術として動き補償を伴うピクチャ間予測がある。これらの動画像符号化方式の動き補償では、入力画像のピクチャを所定のサイズの矩形領域（以降、ブロックと呼ぶ）に分割し、各ブロック毎にピクチャ間の動きを示す動きベクトルから予測画素を生成する。」
　　
「　　【０００５】
　以下、動き補償を伴うピクチャ間予測を説明するため、次の（１）〜（６）に示す内容を説明する。
　（１）Ｂピクチャの概念
　（２）補間予測
　（３）ピクチャ番号と参照インデックス
　（４）ダイレクトモード
　（５）従来の画像符号化装置
　（６）従来の画像復号化装置」
　　
「　　【０００６】
　（１）Ｂピクチャの概念
　Ｈ．２６ＬのＢピクチャ(２方向予測[Bi-predictive]ピクチャ)について、図３０を用いて説明する。
　　　【０００７】
　図３０は、Ｂピクチャの概念図である。
　ピクチャＴＰは符号化対象のＢピクチャであり、ピクチャＲＰ１，ＲＰ２，ＲＰ３，ＲＰ４はそれぞれ符号化済のピクチャである。ブロックＢ１は、ブロックＲＢ１とブロックＲＢ２とを参照してピクチャ間予測されたブロックであり、ブロックＢ２は、ブロックＲＢ２１とブロックＲＢ２２とを参照してピクチャ間予測されたブロックであり、ブロックＢ３は、ブロックＲＢ３１とブロックＲＢ３２とを参照してピクチャ間予測されたブロックである。」
　　
「　　【０００９】
（２）補間予測
　補間予測について、図３１を用いて説明する。
　図３１は、補間予測の説明図である。
　ブロックＲＢ１とブロックＲＢ２は、補間予測に使用される２つの参照ブロックであり、ブロックＰＢは補間処理により得られた予測ブロックを示す。ここでは、ブロックサイズは4×4画素として説明する。
　　　【００１０】
　Ｘ１（ｉ）は参照ブロックＲＢ１の画素値を示し、Ｘ２（ｉ）は参照ブロックＲＢ２の画素値を示し、Ｐ（ｉ）は予測ブロックＰＢの画素値を示す。画素値Ｐ（ｉ）は次式のような線形予測式により得ることができる。
　Ｐ（ｉ）＝Ａ・Ｘ１（ｉ）＋Ｂ・Ｘ２（ｉ）＋Ｃ
　　　【００１１】
　ここで、Ａ，Ｂ，Ｃは線形予測係数である。この線形予測係数には、ＭＰＥＧ−１，２のように、平均値(Ａ＝１／２，Ｂ＝１／２，Ｃ＝０の場合)のみが使用される場合もあるし（厳密には、Ｘ１（ｉ）＋Ｘ２（ｉ）を１／２した値を最も近い整数値に丸めた値）、明示的に他の値に設定される場合もある。他の値に設定される場合には、その値は、画像符号化信号中に格納されて画像符号化装置から画像復号化装置に伝送される。
　　　【００１２】
　このように複数の参照ピクチャから画素補間によりピクチャ間予測されるブロックを「補間予測ブロック」と呼ぶ。Ｂピクチャは、補間予測ブロックをピクチャ内に含むことが可能なピクチャである。
　　　【００１３】
　ＭＰＥＧ−１，ＭＰＥＧ−２などの画像符号化方式のＢピクチャに含まれる補間予測ブロックは、図３０に示すブロックＢ１のように符号化対象ピクチャＴＰに対し表示順が前の参照ピクチャＲＰ１と、後の参照ピクチャＲＰ３とから予測される補間予測ブロックしかなかった。
　　　【００１４】
　一方、最近検討されている新しいＢピクチャでは、加えて、図３０に示すブロックＢ２，Ｂ３のように、参照ピクチャが２枚とも符号化対象ピクチャより前又は後となる補間予測ブロックも含むことができる。
　　　【００１５】
　図３２は、補間予測ブロックの２枚の参照ピクチャが、補間予測ブロックを有する符号化対象ピクチャより表示順が前にある場合の一例を説明するための説明図である。
　　　【００１６】
　ピクチャＰ７は符号化対象ピクチャであって、各ピクチャは、ピクチャＰ１，Ｐ２，Ｐ３，Ｐ４，Ｐ５，Ｐ６，Ｐ７の順に符号化される。つまり、ピクチャＰ１，Ｐ２，Ｐ５，Ｐ６は、符号化対象ピクチャＰ７よりも先に符号化されてマルチフレームバッファ（メモリ）に格納されている。
　　　【００１７】
　そして、符号化対象ピクチャＰ７に含まれる補間予測ブロックは、ピクチャＰ１及びピクチャＰ６に含まれる画素を参照して符号化される。
　　　【００１８】
　図３３は、補間予測ブロックの２枚の参照ピクチャが、補間予測ブロックを有する符号化対象ピクチャより表示順が後にある場合の一例を説明するための説明図である。
　ピクチャＰ４は符号化対象ピクチャであって、各ピクチャは、ピクチャＰ１，Ｐ２，Ｐ３，Ｐ４，Ｐ５の順に符号化される。つまり、ピクチャＰ１，Ｐ２，Ｐ３は、符号化対象ピクチャＰ４よりも先に符号化されてマルチフレームバッファに格納されている。
　　　【００１９】
　そして、符号化対象ピクチャＰ４に含まれる補間予測ブロックは、ピクチャＰ２及びピクチャＰ３に含まれる画素を参照して符号化される。
　なお、補間予測ブロックを含まずに、１枚の参照ピクチャからピクチャ間予測を行うブロックを含むことが可能なピクチャをＰピクチャと呼び、ピクチャ間予測を行わない面内予測ブロックのみから構成されるピクチャをＩピクチャと呼ぶ。
　　　【００２０】
　Ｈ．２６Ｌでは、Ｂピクチャのブロックの符号化には、最大２枚の参照ピクチャが使用される。そこで、２枚の参照ピクチャを区別するため、各参照ピクチャを第１参照ピクチャ及び第２参照ピクチャと呼ぶ。また、第１参照ピクチャ及び第２参照ピクチャのそれぞれに基づく動きベクトルを、第１動きベクトル及び第２動きベクトルと呼ぶ。
　　　【００２１】
　例えば図３０では、符号化対象ブロックＢ１に対して、ピクチャＲＰ１が第１参照ピクチャとなり、ピクチャＲＰ３が第２参照ピクチャとなり、動きベクトルＭＶ１が第１動きベクトルとなり、動きベクトルＭＶ２が第２動きベクトルとなる。また、第１参照ピクチャのみからの予測を第１参照ピクチャ予測、第２参照ピクチャのみからの予測を第２参照ピクチャ予測と呼ぶ。
　　　【００２２】
　なお、１枚の参照ピクチャからピクチャ間予測されたブロックに対しては、参照ピクチャや動きベクトルを第１、第２に区別する必要はないが、説明の都合上、１枚の参照ピクチャからピクチャ間予測されたブロックの参照ピクチャ及び動きベクトルを、第１参照ピクチャ及び第１動きベクトルと呼ぶ。」
　　
「　　【００２３】
（３）ピクチャ番号及び参照インデックス
　図３４は、ピクチャ番号と参照インデックスを説明するための説明図である。
　ピクチャ番号及び参照インデックスは、マルチフレームバッファに格納された参照ピクチャを一意に識別するための情報である。Ｈ．２６Ｌでは、ピクチャが
参照ピクチャとしてメモリに蓄積される毎に１増加する値が、その参照ピクチャに対するピクチャ番号として割り当てられる。
　　　【００２４】
　一方、参照インデックスは、符号化対象ブロックのピクチャ間予測に使用される参照ピクチャを指示するために使用される。
　また、参照インデックスは、第１参照ピクチャを指示するための第１参照インデックスと、第２参照ピクチャを指示するための第２参照インデックスとから構成される。
　　　【００２５】
　以下、第１参照インデックス、第２参照インデックスの割り当て方法について、図３４の（ａ）を用いて説明する。
　まず、符号化対象ピクチャより前の表示時刻を持つ参照ピクチャに対し、符号化対象ピクチャに近い順より０から始まる値が、第１参照インデックスとして割り当てられる。符号化対象ピクチャより前の表示時刻を持つ参照ピクチャの全てに対し０から始まる値が割り当てられたら、次に符号化対象ピクチャより後の表示時刻を持つ参照ピクチャに対し、符号化対象ピクチャに近い順から、その続きの値が割り当てられる。
　　　【００２６】
　そして、符号化対象ピクチャより後の表示時刻を持つ参照ピクチャに対し、符号化対象ピクチャに近い順より０から始まる値が、第２参照インデックスの値として割り当てられる。符号化対象ピクチャより後の表示時刻を持つ参照ピクチャの全てに対し０から始まる値が割り当てられたら、次に符号化対象ピクチャより前の表示時刻を持つ参照ピクチャに対し、符号化対象ピクチャに近い順から、その続きの値が割り当てられる。
　　　【００２７】
　例えば、図３４の（ａ）に示すように、第１参照インデックスが０として指示された場合、第１参照ピクチャはピクチャ番号「１４」のＢピクチャであり、第２参照インデックスが１として指示された場合、第２参照ピクチャはピクチャ番号「１３」のＢピクチャである。
　　　【００２８】
　一方、Ｈ．２６Ｌでは、画像符号化信号中のバッファ制御信号（図３７中に示すヘッダ１内のＲＰＳＬ７）を用いて明示的に指示することにより、参照ピクチャに対する第１参照インデックス及び第２参照インデックスの割り当てを任意に変更することができる。この割り当ての変更により、第２参照インデックスが０の参照ピクチャをマルチフレームバッファ内の任意の参照ピクチャにすることが可能で、例えば、図３４の（ｂ）に示すように、ピクチャ番号に対する第１参照インデックス及び第２参照インデックスの割り当てが変更される。
　　　【００２９】
　なお、ブロック中の参照インデックスは、可変長符号語により表現され、値が小さいほど短い符号長のコードが割り当てられている。」
　　
「　　【００３０】
（４）ダイレクトモード
　ダイレクトモードについて、図３５を用いて説明する。
　図３５は、従来の画像符号化装置が行うダイレクトモードの説明図である。
　ここでダイレクトモードとは、符号化対象ブロックに対する参照ピクチャ及び動きベクトルを、参照ピクチャの符号化時に使用した動きベクトル及び参照ピクチャの符号化時に参照したピクチャから以下に説明する方法により決定し、画素補間によりピクチャ間予測を行うモードである。
　　　【００３１】
　ピクチャＴＰは符号化対象のＢピクチャであり、ピクチャＲＰ１，ＲＰ２，ＲＰ３，ＲＰ４は参照ピクチャとして用いられるようにマルチフレームバッファ内にある復号済のピクチャである。また、図３５中点線に示すピクチャは、非参照ピクチャであって、マルチフレームバッファに含まれないものである。
　　　【００３２】
　そして、ピクチャＲＰ１の第１参照インデックスＲＩ１は０であり、ピクチャＲＰ２の第１参照インデックスＲＩ１は１であり、ピクチャＲＰ３の第２参照インデックスＲＩ２は０であり、ピクチャＲＰ４の第２参照インデックスＲＩ２は１である。
　　　【００３３】
　ブロックＢ０はダイレクトモードで符号化されるブロックであり、ブロックＢ００はピクチャＲＰ３内で符号化対象ブロックＢ０と相対的に同じ位置にあるブロックである。また、ブロックＲＢ０１はピクチャＲＰ１に含まれる参照ブロックであり、ブロックＲＢ０２は参照ピクチャＲＰ３に含まれる参照ブロックである。動きベクトルＭＶ０は、ブロックＢ００を符号化した際の第１動きベクトルであって、ピクチャＲＰ１を参照先とする。また、動きベクトルＭＶ０をスケーリング用ベクトルと呼ぶ。
　　　【００３４】
　符号化対象ブロックＢ０の予測に使用される第１動きベクトルＭＶ０１と第２動きベクトルＭＶ０２とは、次の式により計算される。
　ＭＶ０１＝ＴＲ１×ＭＶ０／ＴＲ０
　ＭＶ０２＝−ＴＲ２×ＭＶ０／ＴＲ０
　　　【００３５】
　上式において、係数ＴＲ１，ＴＲ２，ＴＲ０は、ダイレクトモード用の動きベクトルの計算時に使用される値であり、例えばピクチャ間の表示時刻差が用いられる。図３５の場合、ＴＲ１＝２，ＴＲ２＝１，ＴＲ０＝３となる。
　　　【００３６】
　画面内での符号化対象ブロックを含む物体の動きが一定であると仮定した場合、第１動きベクトルＭＶ０１と第２動きベクトルＭＶ０２は、符号化対象ピクチャＴＰと第１参照ピクチャＲＰ１の表示時刻差と、符号化対象ピクチャＴＰと第２参照ピクチャＲＰ２の表示時刻差とによって、動きベクトルＭＶ０を内分することによって求められる。
　　　【００３７】
　なお、表示時刻差に限らずピクチャ番号の差や、ピクチャ間のピクチャ枚数等を用いても第１動きベクトルＭＶ０１及び第２動きベクトルＭＶ０２を求めることができる。
　また、上述のような係数ＴＲ１，ＴＲ２，ＴＲ０の値の組をダイレクトモード用スケーリング係数ＳＰと呼ぶ。
　　　【００３８】
　ＭＰＥＧ−４では、ダイレクトモードにおける後方参照ピクチャは最大１枚しかないため、第２参照ピクチャとして使用されるピクチャは一意に決まる。しかし、Ｈ．２６Ｌでは、第２参照ピクチャと成り得るピクチャが複数あるため、第２参照インデックスＲＩ２が０のピクチャを、ダイレクトモード時の第２参照ピクチャとしている。
　　　【００３９】
　また、ダイレクトモードにおいては、各ピクチャごとに伝送されたダイレクトモード用スケーリング係数ＳＰが、ピクチャに含まれる全ブロックに共通して使用される。または、各ピクチャの表示時刻情報を用いて、表示時刻差に比例するようにスケーリングを行う。
　　　【００４０】
　なお、図３５を図３４の（ａ）と対応させるとすると、図３５のピクチャＴＰは図３４の（ａ）の中央のＢピクチャ（点線のピクチャ）に対応し、図３５のピクチャＲＰ３は図３４の（ａ）のピクチャ番号「１５」のＢピクチャに対応し、図３５のピクチャＲＰ４は図３４の（ａ）のピクチャ番号「１３」のＢピクチャに対応し、図３５のピクチャＲＰ１は図３４の（ａ）のピクチャ番号「１４」のＢピクチャに対応し、図３５のピクチャＲＰ２は図３４の（ａ）のピクチャ番号「１２」のＢピクチャに対応する。図３５のピクチャＴＰ等の点線で示されている非参照ピクチャは、他のピクチャから参照されることがないため、マルチフレームバッファには保存されない。よって、図３４の（ａ）に示すピクチャのようにそのピクチャを参照するための参照インデックスが割り当てられることは無い。」
　　
【図３５】
　　
「　　【００４２】
（５）従来の画像符号化装置
　次に従来の画像符号化装置について、図３６を参照して説明する。
　図３６は、従来の画像符号化装置の構成を示すブロック図である。以下、この画像符号化装置について説明する。
　画像符号化装置９００は、ブロックに分割された画像信号Ｉｍｇを入力し、ブロック毎に処理を行う。
　　　【００４３】
　減算器９０１は、画像信号Ｉｍｇから予測画像信号Ｐｒｅを減算し、残差信号Ｒｅｓを出力する。
　画像符号化部９０２は、残差信号Ｒｅｓを取得して、ＤＣＴ変換及び量子化などの画像符号化処理を行い、量子化済ＤＣＴ係数などを含む残差符号化信号ＥＲを出力する。
　　　【００４４】
　画像復号化部９０４は、残差符号化信号ＥＲを取得し、逆量子化及び逆ＤＣＴ変換などの画像復号処理を行い、残差復号信号ＤＲを出力する。
　加算器９０５は、残差復号信号ＤＲと予測画像信号Ｐｒｅを加算し、再構成画像信号Ｒｅｃを出力する。
　　　【００４５】
　再構成画像信号Ｒｅｃで、以降のピクチャ間予測で参照される可能性がある信号は、マルチフレームバッファ９０７に格納される。マルチフレームバッファ９０７のメモリ量は有限なため、マルチフレームバッファ９０７内で以降のピクチャ間予測に使用されないピクチャのデータはマルチフレームバッファ９０７から除去される。
　　　【００４６】
　動き推定部９０９は、マルチフレームバッファ９０７に格納された参照ピクチャＲＰを取得して動き推定を行い、面内予測、第１参照ピクチャ予測、第２参照ピクチャ予測、補間予測による予測の中から所定の方法で最適な予測種別を選択し（ピクチャ種別により選択できる予測種別は異なる）、符号化対象ブロックに対する第１動きベクトルＭＶ１、第２動きベクトルＭＶ２、第１参照インデックスＲＩ１、及び第２参照インデックスＲＩ２を出力する。
　　　【００４７】
　動き推定部９０９における予測種別の選択方法には、例えば、各予測種別による予測誤差が最小となる予測種別を選択する方法がある。選択された予測種別が面内予測の場合には、動きベクトル及び参照インデックスは出力されず、第１参照ピクチャ予測の場合には、第１参照インデックス及び第１動きベクトルのみが出力され、第２参照ピクチャ予測の場合には、第２参照インデックス及び第２動きベクトルのみが出力され、補間予測の場合には、第１参照インデックス、第２参照インデックス、第１動きベクトル、及び第２動きベクトルが出力される。
　　　【００４８】
　上述のように、Ｈ．２６Ｌでは、ダイレクトモード時の第２参照ピクチャとして第２参照インデックスｒＲＩ２が０の参照ピクチャが使用される。よって、値０の第２参照インデックスｒＲＩ２はベクトル用バッファ９１４とダイレクトモード処理部９１０とに入力される。
　　　【００４９】
　ベクトル用バッファ９１４には、スケーリング用ベクトルｒＭＶとスケーリング用ベクトルｒＭＶの参照先となるピクチャを示すピクチャ番号とが記憶されている。スケーリング用ベクトルｒＭＶにより符号化されたブロックを含む参照ピクチャは、第２参照インデックスｒＲＩ２により示される参照ピクチャであるため、ベクトル用バッファ９１４は、値０の第２参照インデックスｒＲＩ２を入力し、スケーリング用ベクトルｒＭＶと、スケーリング用ベクトルｒＭＶの参照先となるピクチャを示す第１参照インデックスｒＲＩ１とを出力する。
　　　【００５０】
　ダイレクトモード処理部９１０は、ダイレクトモード用スケーリング係数ＳＰ、スケーリング用ベクトルｒＭＶ、第１参照インデックスｒＲＩ１、及び第２参照インデックスｒＲＩ２を入力し、上記に説明したダイレクトモードの処理により、ダイレクトモード時の第１動きベクトルｓＭＶ１、第２動きベクトルｓＭＶ２、第１参照インデックスｒＲＩ１、及び第２参照インデックスｒＲＩ２を出力する。
　　　【００５１】
　予測種別選択部９０８は、画像信号Ｉｍｇと、参照ピクチャＲＰと、「ダイレクトモード」の参照ブロックの位置を示す参照インデックスｒＲＩ１，ｒＲＩ２及び動きベクトルｓＭＶ１，ｓＭＶ２と、「ダイレクトモード以外」の予測時に使用する参照ブロックの位置を示す参照インデックスＲＩ１，ＲＩ２及び動きベクトルＭＶ１，ＭＶ２を入力する。そして、予測種別選択部９０８は、ブロックの予測にダイレクトモードを使用すべきか否かを決定し、決定した予測種別を示す種別情報ＰＴを可変長符号化部９０３に出力する。
　　　【００５２】
　ここで、予測種別選択部９０８は、例えば、入力画素に対する「ダイレクトモード時」の予測誤差と、「ダイレクトモード以外の予測時」の予測誤差とで、予測誤差の小さい方を選択することで、予測種別の選択を行う。
　　　【００５３】
　よって、予測種別には、動き推定部９０９で選択される面内予測、第１参照ピクチャ予測、第２参照ピクチャ予測、ダイレクトモード以外の補間予測に加えて、ダイレクトモードが加わることになる。
　　　【００５４】
　そして、予測種別がダイレクトモードを示す場合には、スイッチ９１１は１側に切り替わり、参照インデックスｒＲＩ１，ｒＲＩ２及び動きベクトルｓＭＶ１，ｓＭＶ２が参照インデックスＲＩ１，ＲＩ２、動きベクトルＭＶ１,ＭＶ２として使用される。
　　　【００５５】
　一方、予測種別がダイレクトモード以外を示す場合には、スイッチ９１１は０側に切り替わる。
　　　【００５６】
　また、ダイレクトモード時には、符号化済ピクチャのブロックを符号化した際に用いられた第１動きベクトルｓＭＶ１がスケーリング用ベクトルとして使用される。そして、その第１動きベクトルｓＭＶ１の参照先となるピクチャが、ダイレクトモードの一方の参照ピクチャとして使用される。従って、符号化した第１参照インデックスＲＩ１、第１動きベクトルＭＶ１の中で、符号化したピクチャ以降のピクチャでダイレクトモードで使用される可能性がある第１参照インデックスＲＩ１、第１動きベクトルＭＶ１はベクトル用バッファ９１４に格納される。
　　　【００５７】
　予測種別の決定後、マルチフレームバッファ９０７に第１参照インデックスＲＩ１と第１動きベクトルＭＶ１とが入力され、入力された第１参照インデックスＲＩ１と第１動きベクトルＭＶ１とに対応する参照ブロックＲＢ１がマルチフレームバッファ９０７から画素補間部９０６に出力される。予測種別により２つの参照ブロックが必要とされるときには、さらに第２参照インデックスＲＩ２と第２動きベクトルＭＶ２とに対応する参照ブロックＲＢ２がマルチフレームバッファ９０７から画素補間部９０６に出力される。
　　　【００５８】
　画素補間部９０６は、補間予測時には、２個の参照ブロックＲＢ１,ＲＢ２の互いに対応する位置の画素値を補間し、補間ブロックＲｅＰを出力する。
　　　【００５９】
　スイッチ９１２は、予測種別が補間予測を示す場合には、１側に切り替わり、補間ブロックＲｅＰを予測画像信号Ｐｒｅとして扱う。
　　　【００６０】
　マルチフレームバッファ９０７は、第１参照ピクチャ予測時には、第１参照インデックスＲＩ１と第１動きベクトルＭＶ１とに対応する参照ブロックＲＢを出力する。また、第２参照ピクチャ予測時には、マルチフレームバッファ９０７は第２参照インデックスＲＩ２と第２動きベクトルＭＶ２とに対応する参照ブロックＲＢを出力する。なお、面内予測時には、面内予測結果の画素からなるブロックＲＢがマルチフレームバッファ９０７から出力される。
　　　【００６１】
　そして予測種別が補間予測以外の予測方法を示す場合には、スイッチ９１２は０側に切り替わり、参照ブロックＲＢを予測画像信号Ｐｒｅとして扱う。
　　　【００６２】
　可変長符号化部９０３は、残差符号化信号ＥＲ、参照インデックスＲＩ１，ＲＩ２、動きベクトルＭＶ１,ＭＶ２、ダイレクトモード用スケーリング係数ＳＰ、及び種別情報ＰＴを可変長符号化し、その結果を画像符号化信号ＢＳ０に含めて出力する。
　　　【００６３】
　図３７は、画像符号化信号ＢＳ０のフォーマットの概念図である。
　この図３７は、画像符号化信号ＢＳ０中の１ピクチャ分の情報が含まれる部分のフォーマットを示す。
　この部分は、ヘッダ１と、ダイレクトモードにより符号化されたブロックの第１ブロック符号化信号２と、ダイレクトモード以外の補間予測により符号化されたブロックの第２ブロック符号化信号３とを含む。
　　　【００６４】
　第２ブロック符号化信号３は、種別情報ＰＴが符号化された種別符号化信号９と、参照インデックスＲＩ１,ＲＩ２が符号化された第１インデックス符号化信号１０及び第２インデックス符号化信号１１と、動きベクトルＭＶ１,ＭＶ２が符号化されたＭＶ１符号化信号１２及びＭＶ２符号化信号１３とを含む。第２ブロック符号化信号３では、第１インデックス符号化信号１０及び第２インデックス符号化信号１１と、ＭＶ１符号化信号１２及びＭＶ２符号化信号１３とが、画像符号化信号ＢＳ０中に、図３７に示す順で含まれる。
　　　【００６５】
　また、参照インデックスＲＩ１,ＲＩ２のいずれを使用するかは種別符号化信号９により判断され、第１参照ピクチャと第２参照ピクチャとは、画像符号化信号ＢＳ０中の第１インデックス符号化信号１０及び第２インデックス符号化信号１１のデータ位置で決まる。
　　　【００６６】
　一方、第１ブロック符号化信号２は、ブロックがダイレクトモードで符号化された場合を示しており、種別情報ＰＴが符号化された種別符号化信号８を含むが、参照インデックス及び動きベクトルを示す情報を含まない。
　　　【００６７】
　また、ヘッダ１には、図３５に示す係数ＴＲ１，ＴＲ２，ＴＲ０がそれぞれ符号化された第１時間差情報４、第２時間差情報５、及び時間差情報６と、参照ピクチャに対する第１参照インデックス又は第２参照インデックスの割り当て変更を示す内容のＲＰＳＬ７が含まれる。ただし、ダイレクトモードでの動きベクトルのスケーリングの際に、各ピクチャの表示時刻情報を用いる場合には、これらの情報はヘッダ中には記述されず、ヘッダには表示時刻情報のみが記述される。」
　　
「　　【００６８】
（６）従来の画像復号化装置
　図３８は、従来の画像復号化装置の構成を示すブロック図である。
　ここで、この画像復号化装置９５０が備えるマルチフレームバッファ９５８、画素補間部９５７、ベクトル用バッファ９６０、及びダイレクトモード処理部９５４はそれぞれ、図３６に示す画像符号化装置９００のマルチフレームバッファ９０７、画素補間部９０６、ベクトル用バッファ９１４、及びダイレクトモード処理部９１０のそれぞれと同様の機能を有するため、詳細な説明を省略する。また、図３８中、図３６に示す信号と同一の信号に対しては同一の符号を付して説明を省略する。
　　　【００６９】
　可変長復号部９５１は、画像符号化信号ＢＳ０を入力し可変長復号を行い、残差符号化信号ＥＲ、動きベクトルＭＶ１,ＭＶ２、参照インデックスＲＩ１,ＲＩ２、ダイレクトモード用スケーリング係数ＳＰ（または、各ピクチャの表示時刻情報）、及び種別情報ＰＴを出力する。画像復号部９５２は、残差符号化信号ＥＲを入力し、これに対して逆量子化及び逆ＤＣＴ変換などの画像復号処理を行い、残差復号信号ＤＲを出力する。加算器９５３は、残差復号信号ＤＲと予測画像信号Ｐｒｅを加算し、復号画像信号ＤＩｍを画像復号化装置９５０外に出力する。マルチフレームバッファ９５８は、ピクチャ間予測のために必要な復号画像信号ＤＩｍを格納する。
　　　【００７０】
　ベクトル用バッファ９６０には、スケーリング用ベクトルｒＭＶと、スケーリング用ベクトルｒＭＶの参照先となるピクチャを識別するための情報（第１参照インデックスｒＲＩ１）とが記憶されている。また、ベクトル用バッファ９６０は値０の第２参照インデックスｒＲＩ２を入力し、スケーリング用ベクトルｒＭＶと第１参照インデックスｒＲＩ１とを出力する。
　　　【００７１】
　ダイレクトモード処理部９５４は、図３６のダイレクトモード処理部９１０と同じ処理を行う。
　予測種別がダイレクトモード以外を示す場合、スイッチ９５５は０側に切り替わる。そして、マルチフレームバッファ９５８は、参照インデックスＲＩ１,ＲＩ２及び動きベクトルＭＶ１,ＭＶ２を取得する。
　　　【００７２】
　予測種別がダイレクトモードを示す場合、スイッチ９５５は１側に切り替わる。そして、マルチフレームバッファ９５８は、参照インデックスｒＲＩ１，ｒＲＩ２及び動きベクトルｓＭＶ１,ｓＭＶ２を、参照インデックスＲＩ１,ＲＩ２及び動きベクトルＭＶ１,ＭＶ２として取得する。
　　　【００７３】
　マルチフレームバッファ９５８は、補間予測時は、第１参照インデックスＲＩ１及び第１動きベクトルＭＶ１に対応する参照ブロックＲＢ１と、第２参照インデックスＲＩ２及び第２動きベクトルＭＶ２に対応する参照ブロックＲＢ２とを出力する。そして、画素補間部９５７は２個の参照ブロックＲＢ１,ＲＢ２のそれぞれに対応する画素値を補間して、補間ブロックＲｅＰを出力する。
　　　【００７４】
　マルチフレームバッファ９５８は、第１参照ピクチャ予測時には、第１参照インデックスＲＩ１と第１動きベクトルＭＶ１に対応する参照ブロックＲＢを出力する。また、第２参照ピクチャ予測時には、マルチフレームバッファ９５８は、第２参照インデックスＲＩ２と第２動きベクトルＭＶ２に対応する参照ブロックＲＢを出力する。なお、面内予測時には面内予測結果の画素からなるブロックＲＢがマルチフレームバッファ９５８から出力される。
　　　【００７５】
　予測種別が補間予測を示す場合には、スイッチ９５６は０側に切り替わり、補間ブロックＲｅＰが予測画像信号Ｐｒｅとして使用される。
　予測種別が補間予測以外の予測方法を示す場合には、スイッチ９５６は１側に切り替わり、参照ブロックＲＢが予測画像信号Ｐｒｅとして使用される。
　　　【００７６】
　そして、復号された第１参照インデックスＲＩ１及び第１動きベクトルＭＶ１のうち、復号されたピクチャ以降のピクチャでダイレクトモードに使用される可能性がある第１参照インデックスＲＩ１及び第１動きベクトルＭＶ１はベクトル用バッファ９６０に格納される。
　　　【００７７】
　このような画像復号化装置９５０は、上述のように説明した処理により画像符号化信号ＢＳ０を復号して、これを画像復号信号ＤＩｍとして出力する。」
　　
（５）補正後発明１と先願１に記載された発明との対比・判断
ア　先願１に記載された発明 
　動き補償を伴うピクチャ間予測は、ＭＰＥＧ-１，２，４及びＨ．２６３などの動画像符号化方式に共通の技術であり、これらの動画像符号化方式の動き補償では、入力画像のピクチャを所定のサイズの矩形領域（以降、ブロックと呼ぶ）に分割し、各ブロック毎にピクチャ間の動きを示す動きベクトルから予測画素を生成する。（段落【０００４】）
　Ｂピクチャは、２方向予測[Bi-predictive]ピクチャで（段落【０００６】）、Ｂピクチャは、補間予測ブロックをピクチャ内に含むことが可能なピクチャであり（段落【００１２】）、補間予測ブロックは、複数の参照ピクチャから画素補間によりピクチャ間予測されるブロックである（段落【００１２】）。
　ブロックＲＢ１とブロックＲＢ２は、補間予測に使用される２つの参照ブロックで、ブロックＰＢは補間処理により得られた予測ブロックとし、Ｘ１（ｉ）は参照ブロックＲＢ１の画素値、Ｘ２（ｉ）は参照ブロックＲＢ２の画素値、Ｐ（ｉ）は予測ブロックＰＢの画素値をすると、画素値Ｐ（ｉ）は次式のような線形予測式により得ることができる。
　Ｐ（ｉ）＝Ａ・Ｘ１（ｉ）＋Ｂ・Ｘ２（ｉ）＋Ｃ
　ここで、Ａ，Ｂ，Ｃは線形予測係数である（段落【０００９】〜【００１１】）。　
　ダイレクトモードとは、符号化対象ブロックに対する参照ピクチャ及び動きベクトルを、参照ピクチャの符号化時に使用した動きベクトル及び参照ピクチャの符号化時に参照したピクチャから以下に説明する方法により決定し、画素補間によりピクチャ間予測を行うモードである（段落【００３０】）。
　ピクチャＴＰは符号化対象のＢピクチャであり、ピクチャＲＰ１，ＲＰ２，ＲＰ３，ＲＰ４は参照ピクチャとして用いられるようにマルチフレームバッファ内にある復号済のピクチャである（段落【００３１】）。
　そして、ピクチャＲＰ１の第１参照インデックスＲＩ１は０であり、ピクチャＲＰ２の第１参照インデックスＲＩ１は１であり、ピクチャＲＰ３の第２参照インデックスＲＩ２は０であり、ピクチャＲＰ４の第２参照インデックスＲＩ２は１である（段落【００３２】）。
　ブロックＢ０はダイレクトモードで符号化されるブロックであり、ブロックＢ００はピクチャＲＰ３内で符号化対象ブロックＢ０と相対的に同じ位置にあるブロックである。また、ブロックＲＢ０１はピクチャＲＰ１に含まれる参照ブロックであり、ブロックＲＢ０２は参照ピクチャＲＰ３に含まれる参照ブロックである。動きベクトルＭＶ０（スケーリング用ベクトル）は、ブロックＢ００を符号化した際の第１動きベクトルであって、ピクチャＲＰ１を参照先とする（段落【００３３】）。
　符号化対象ブロックＢ０の予測に使用される第１動きベクトルＭＶ０１と第２動きベクトルＭＶ０２とは、次の式により計算される。
　　　ＭＶ０１＝ＴＲ１×ＭＶ０／ＴＲ０
　　　ＭＶ０２＝−ＴＲ２×ＭＶ０／ＴＲ０
　上式において、係数ＴＲ１，ＴＲ２，ＴＲ０は、ダイレクトモード用の動きベクトルの計算時に使用される値であり、例えばピクチャ間の表示時刻差が用いられる（段落【００３４】〜【００３５】）。
　画面内での符号化対象ブロックを含む物体の動きが一定であると仮定した場合、第１動きベクトルＭＶ０１と第２動きベクトルＭＶ０２は、符号化対象ピクチャＴＰと第１参照ピクチャＲＰ１の表示時刻差と、符号化対象ピクチャＴＰと第２参照ピクチャＲＰ２の表示時刻差とによって、動きベクトルＭＶ０を内分することによって求められる（段落【００３６】）。
　表示時刻差に限らずピクチャ番号の差や、ピクチャ間のピクチャ枚数等を用いても第１動きベクトルＭＶ０１及び第２動きベクトルＭＶ０２を求めることができる。
　また、係数ＴＲ１，ＴＲ２，ＴＲ０の値の組をダイレクトモード用スケーリング係数ＳＰと呼ぶ（段落【００３７】）。
　ダイレクトモードにおいては、各ピクチャごとに伝送されたダイレクトモード用スケーリング係数ＳＰが、ピクチャに含まれる全ブロックに共通して使用される。または、各ピクチャの表示時刻情報を用いて、表示時刻差に比例するようにスケーリングを行う（段落【００３９】）。
　　
　上記段落【００４２】〜【００６７】には、画像符号化装置について記載されている。
　画像符号化装置９００は、ブロックに分割された画像信号Ｉｍｇを入力し、ブロック毎に処理を行（段落【００４２】）い、（可変長符号化部９０３は、）残差符号化信号ＥＲ、参照インデックスＲＩ１，ＲＩ２、動きベクトルＭＶ１,ＭＶ２、ダイレクトモード用スケーリング係数ＳＰ、及び種別情報ＰＴを可変長符号化し、その結果を画像符号化信号ＢＳ０に含めて出力する（段落【００６２】）。ここで、参照インデックスは、符号化対象ブロックのピクチャ間予測に使用される参照ピクチャを指示するために使用され、参照インデックスは、第１参照ピクチャを指示するための第１参照インデックスと、第２参照ピクチャを指示するための第２参照インデックスとから構成される（段落【００２４】）ものである。
　画像符号化装置９００における画像符号化の予測種別には、面内予測、第１参照ピクチャ予測、第２参照ピクチャ予測、ダイレクトモード以外の補間予測、ダイレクトモードの補間予測がある（段落【００５３】）。
　動き推定部９０９は、マルチフレームバッファ９０７に格納された参照ピクチャＲＰを取得して動き推定を行い、面内予測、第１参照ピクチャ予測、第２参照ピクチャ予測、補間予測による予測の中から所定の方法で最適な予測種別を選択し（ピクチャ種別により選択できる予測種別は異なる）、符号化対象ブロックに対する第１動きベクトルＭＶ１、第２動きベクトルＭＶ２、第１参照インデックスＲＩ１、及び第２参照インデックスＲＩ２を出力する（段落【００４６】）。
　ダイレクトモード処理部９１０は、ダイレクトモード用スケーリング係数ＳＰ、スケーリング用ベクトルｒＭＶ、第１参照インデックスｒＲＩ１、及び第２参照インデックスｒＲＩ２を入力し、ダイレクトモードの処理により、ダイレクトモード時の第１動きベクトルｓＭＶ１、第２動きベクトルｓＭＶ２、第１参照インデックスｒＲＩ１、及び第２参照インデックスｒＲＩ２を出力する（段落【００５０】）。
　そして、予測種別がダイレクトモードを示す場合には、スイッチ９１１は１側に切り替わり、参照インデックスｒＲＩ１，ｒＲＩ２及び動きベクトルｓＭＶ１，ｓＭＶ２が参照インデックスＲＩ１，ＲＩ２、動きベクトルＭＶ１,ＭＶ２として使用される（段落【００５４】）。
　ダイレクトモード時には、符号化済ピクチャのブロックを符号化した際に用いられた第１動きベクトルｓＭＶ１がスケーリング用ベクトルとして使用される。そして、その第１動きベクトルｓＭＶ１の参照先となるピクチャが、ダイレクトモードの一方の参照ピクチャとして使用される。従って、符号化した第１参照インデックスＲＩ１、第１動きベクトルＭＶ１の中で、符号化したピクチャ以降のピクチャでダイレクトモードで使用される可能性がある第１参照インデックスＲＩ１、第１動きベクトルＭＶ１はベクトル用バッファ９１４に格納される（段落【００５６】）。
　予測種別の決定後、マルチフレームバッファ９０７に第１参照インデックスＲＩ１と第１動きベクトルＭＶ１とが入力され、入力された第１参照インデックスＲＩ１と第１動きベクトルＭＶ１とに対応する参照ブロックＲＢ１がマルチフレームバッファ９０７から画素補間部９０６に出力される。予測種別により２つの参照ブロックが必要とされるときには、さらに第２参照インデックスＲＩ２と第２動きベクトルＭＶ２とに対応する参照ブロックＲＢ２がマルチフレームバッファ９０７から画素補間部９０６に出力される（段落【００５７】）。
　画素補間部９０６は、補間予測時には、２個の参照ブロックＲＢ１,ＲＢ２の互いに対応する位置の画素値を補間し、補間ブロックＲｅＰを出力し、補間ブロックＲｅＰを予測画像信号Ｐｒｅとして扱う（段落【００５８】〜【００５９】）。
　可変長符号化部９０３は、残差符号化信号ＥＲ、参照インデックスＲＩ１，ＲＩ２、動きベクトルＭＶ１,ＭＶ２、ダイレクトモード用スケーリング係数ＳＰ、及び種別情報ＰＴを可変長符号化し、その結果を画像符号化信号ＢＳ０に含めて出力する（段落【００６２】）。
　　
　上記段落【００６８】〜【００７７】には、画像復号化装置が記載されている。
　可変長復号部９５１は、画像符号化信号ＢＳ０を入力し可変長復号を行い、残差符号化信号ＥＲ、動きベクトルＭＶ１,ＭＶ２、参照インデックスＲＩ１,ＲＩ２、ダイレクトモード用スケーリング係数ＳＰ（または、各ピクチャの表示時刻情報）、及び種別情報ＰＴを出力する。画像復号部９５２は、残差符号化信号ＥＲを入力し、これに対して逆量子化及び逆ＤＣＴ変換などの画像復号処理を行い、残差復号信号ＤＲを出力する。加算器９５３は、残差復号信号ＤＲと予測画像信号Ｐｒｅを加算し、復号画像信号ＤＩｍを画像復号化装置９５０外に出力する。マルチフレームバッファ９５８は、ピクチャ間予測のために必要な復号画像信号ＤＩｍを格納する（段落【００６９】）。
　ベクトル用バッファ９６０には、スケーリング用ベクトルｒＭＶと、スケーリング用ベクトルｒＭＶの参照先となるピクチャを識別するための情報（第１参照インデックスｒＲＩ１）とが記憶されている。また、ベクトル用バッファ９６０は値０の第２参照インデックスｒＲＩ２を入力し、スケーリング用ベクトルｒＭＶと第１参照インデックスｒＲＩ１とを出力する（段落【００７０】）。
　予測種別がダイレクトモードを示す場合、ダイレクトモード処理部９５４は、ダイレクトモード用スケーリング係数ＳＰ、スケーリング用ベクトルｒＭＶ、第１参照インデックスｒＲＩ１、及び第２参照インデックスｒＲＩ２を入力し、ダイレクトモード時の第１動きベクトルｓＭＶ１、第２動きベクトルｓＭＶ２、第１参照インデックスｒＲＩ１、及び第２参照インデックスｒＲＩ２を出力する（段落【００７１】、【００５０】）。
　予測種別がダイレクトモードを示す場合、スイッチ９５５は１側に切り替わる。そして、マルチフレームバッファ９５８は、参照インデックスｒＲＩ１，ｒＲＩ２及び動きベクトルｓＭＶ１,ｓＭＶ２を、参照インデックスＲＩ１,ＲＩ２及び動きベクトルＭＶ１,ＭＶ２として取得する（段落【００７２】）。
　マルチフレームバッファ９５８は、補間予測時は、第１参照インデックスＲＩ１及び第１動きベクトルＭＶ１に対応する参照ブロックＲＢ１と、第２参照インデックスＲＩ２及び第２動きベクトルＭＶ２に対応する参照ブロックＲＢ２とを出力する。そして、画素補間部９５７は２個の参照ブロックＲＢ１,ＲＢ２のそれぞれに対応する画素値を補間して、補間ブロックＲｅＰを出力する（段落【００７３】）。
　予測種別が補間予測を示す場合には、補間ブロックＲｅＰが予測画像信号Ｐｒｅとして使用される（段落【００７５】）。
　画像復号化装置９５０は、画像符号化信号ＢＳ０を復号して、これを画像復号信号ＤＩｍとして出力する（段落【００７７】）。
　　
　画像復号化装置におけるダイレクトモードの動作を方法の発明として認定する。
　復号化におけるダイレクトモードの動作は、符号化におけるダイレクトモードの動作の逆である。ダイレクトモードは、上記段落【００３０】〜【００４０】に記載され、画像符号化装置については、上記段落【００４２】〜【００６７】に記載されている。また、画像復号化装置については、上記段落【００６８】〜【００７７】に記載されている。
　可変長復号部９５１は、画像符号化信号ＢＳ０を入力し可変長復号を行い、残差符号化信号ＥＲ、動きベクトルＭＶ１,ＭＶ２、参照インデックスＲＩ１,ＲＩ２、ダイレクトモード用スケーリング係数ＳＰ（または、各ピクチャの表示時刻情報）、及び種別情報ＰＴを出力する。画像復号部９５２は、残差符号化信号ＥＲを入力し、これに対して逆量子化及び逆ＤＣＴ変換などの画像復号処理を行い、残差復号信号ＤＲを出力する。加算器９５３は、残差復号信号ＤＲと予測画像信号Ｐｒｅを加算し、復号画像信号ＤＩｍを画像復号化装置９５０外に出力し、マルチフレームバッファ９５８は、ピクチャ間予測のために必要な復号画像信号ＤＩｍを格納する。
　ベクトル用バッファ９６０には、スケーリング用ベクトルｒＭＶと、スケーリング用ベクトルｒＭＶの参照先となるピクチャを識別するための情報（第１参照インデックスｒＲＩ１）とが記憶され、ベクトル用バッファ９６０は値０の第２参照インデックスｒＲＩ２を入力し、スケーリング用ベクトルｒＭＶと第１参照インデックスｒＲＩ１とを出力し、　予測種別がダイレクトモードを示す場合、ダイレクトモード処理部９５４は、ダイレクトモード用スケーリング係数ＳＰ、スケーリング用ベクトルｒＭＶ、第１参照インデックスｒＲＩ１、及び第２参照インデックスｒＲＩ２を入力し、ダイレクトモード時の第１動きベクトルｓＭＶ１、第２動きベクトルｓＭＶ２、第１参照インデックスｒＲＩ１、及び第２参照インデックスｒＲＩ２を出力する。
　ここで、
　　　ｓＭＶ１＝ＴＲ１×ｒＭＶ／ＴＲ０
　　　ｓＭＶ２＝−ＴＲ２×ｒＭＶ／ＴＲ０
である。
　予測種別がダイレクトモードを示す場合、マルチフレームバッファ９５８は、参照インデックスｒＲＩ１，ｒＲＩ２及び動きベクトルｓＭＶ１,ｓＭＶ２を、参照インデックスＲＩ１,ＲＩ２及び動きベクトルＭＶ１,ＭＶ２として取得し、
　マルチフレームバッファ９５８は、補間予測時は、第１参照インデックスＲＩ１及び第１動きベクトルＭＶ１に対応する参照ブロックＲＢ１と、第２参照インデックスＲＩ２及び第２動きベクトルＭＶ２に対応する参照ブロックＲＢ２とを出力し、画素補間部９５７は２個の参照ブロックＲＢ１,ＲＢ２のそれぞれに対応する画素値を補間して、補間ブロックＲｅＰを出力し、
　予測種別が補間予測を示す場合には、スイッチ９５６は０側に切り替わり、補間ブロックＲｅＰが予測画像信号Ｐｒｅとして使用され、
　画像復号化装置９５０は、画像符号化信号ＢＳ０を復号して、これを画像復号信号ＤＩｍとして出力する。
　　
　以上より、先願１には、下記の発明（以下「先願１発明」という。）が記載されている。
　　
　　　　　　　　記　（先願１発明）
　画像復号化装置９５０におけるダイレクトモードの動作は、復号化する方法であり、１つのビデオピクチャを復号化する方法である。
　ダイレクトモードでは、ダイレクトモード用スケーリング係数ＳＰ（係数ＴＲ１，ＴＲ２，ＴＲ０：ダイレクトモード用の動きベクトルの計算時に使用される値であり、例えばピクチャ間の表示時刻差）、スケーリング用ベクトルｒＭＶから、次式によりダイレクトモード時の第１動きベクトルｓＭＶ１、第２動きベクトルｓＭＶ２を求める。
　　　ｓＭＶ１＝ＴＲ１×ｒＭＶ／ＴＲ０
　　　ｓＭＶ２＝−ＴＲ２×ｒＭＶ／ＴＲ０
　また、第１参照ピクチャを指示するための第１参照インデックスＲＩ１及び第１動きベクトルｓＭＶ１に対応する参照ブロックＲＢ１と、第２参照ピクチャを指示するための第２参照インデックスＲＩ２及び第２動きベクトルｓＭＶ２に対応する参照ブロックＲＢ２とを出力し、２個の参照ブロックＲＢ１、ＲＢ２のそれぞれに対応する画素値を補間して、補間ブロックＲｅＰを出力し、補間ブロックＲｅＰが予測画像信号Ｐｒｅとし、画像符号化信号を復号した残差復号信号ＤＲと予測画像信号Ｐｒｅとを加算し、復号画像信号とするものである。
　　
イ　補正後発明１と先願１発明との対比・判断
（ア）「第１ビデオピクチャ、第２ビデオピクチャおよび第３ビデオピクチャのセットの内の少なくとも一つのビデオピクチャを復号化する方法」
　　
　先願１発明の方法は、第１参照ピクチャ、第２参照ピクチャを用いて１つのビデオピクチャを復号するもので、「第１ビデオピクチャ、第２ビデオピクチャおよび第３ビデオピクチャのセットの内の少なくとも一つのビデオピクチャを復号化する方法」といえる。
　　
（イ）「（ｉ）第３ビデオピクチャの順序値と第１ビデオピクチャの順序値との間の第１の順序差値に反比例するとともに、
（ｉｉ）第２ビデオピクチャの順序値と第１ビデオピクチャの順序値との間の第２の順序差値に比例する
　特定値を計算するステップと、
　前記特定値と前記第３ビデオピクチャのための動きベクトルとを乗算して前記第２ビデオピクチャのための動きベクトルを計算するステップであって、前記第３ビデオピクチャのための動きベクトルが第３ビデオピクチャと第１ビデオピクチャ間の動きベクトルであり、前記第２ビデオピクチャのための動きベクトルが第２ビデオピクチャと第１ビデオピクチャ間の動きベクトルである、ステップ」　　
　　
　図３５及び段落【００３０】〜【００３７】のダイレクトモードの記載によると、
　スケーリング用ベクトルｒＭＶは、第２参照ピクチャと第１参照ピクチャの動きベクトルであり、
　第１動きベクトルｓＭＶ１は、復号化するビデオピクチャと第１参照ピクチャの動きベクトルであり、
　第２動きベクトルｓＭＶ２は、復号化するビデオピクチャと第２参照ピクチャの動きベクトルであり、
　第１動きベクトルｓＭＶ１は
　　　ｓＭＶ１＝ＴＲ１×ｒＭＶ／ＴＲ０
　第２動きベクトルｓＭＶ２は
　　　ｓＭＶ２＝−ＴＲ２×ｒＭＶ／ＴＲ０
として求めるものである。
　第１参照ピクチャ、復号化するピクチャ、第２参照ピクチャは、それぞれピクチャであるから、第１ビデオピクチャ、第２ビデオピクチャ、第３ビデオピクチャといえる。
　スケーリング用ベクトルｒＭＶは、第２参照ピクチャと第１参照ピクチャの動きベクトルであるから、第３ビデオピクチャと第１ビデオピクチャ間の動きベクトルであり、第３ビデオピクチャのための動きベクトルといえる。
　第１動きベクトルｓＭＶ１は、復号化するビデオピクチャと第１参照ピクチャの動きベクトルであるから、第２ビデオピクチャと第１ビデオピクチャ間の動きベクトルであり、第２ビデオピクチャのための動きベクトルといえる。
　第１動きベクトルｓＭＶ１は
　　　ｓＭＶ１＝　ＴＲ１×ｒＭＶ／ＴＲ０　：式１
として求めるから、第２ビデオピクチャのための動きベクトルといえる第１動きベクトルｓＭＶ１は、ＴＲ１に比例し、ＴＲ０に反比例し、ＴＲ１と第３ビデオピクチャのための動きベクトル、ＴＲ０により求められる。
　画面内での符号化対象ブロックを含む物体の動きが一定であると仮定した場合、第１動きベクトルＭＶ０１と第２動きベクトルＭＶ０２は、符号化対象ピクチャＴＰと第１参照ピクチャＲＰ１の表示時刻差と、符号化対象ピクチャＴＰと第２参照ピクチャＲＰ２の表示時刻差とによって、動きベクトルＭＶ０を内分することによって求められ（段落【００３６】）、動きベクトルＭＶ０はスケーリング用ベクトルである（段落【００３３】）から、第１動きベクトルｓＭＶ１はスケーリング用ベクトルｒＭＶを内分することによって求められる。
　第１動きベクトルｓＭＶ１は、上記式１で求められるところ、上記式１自体から、第１動きベクトルｓＭＶ１は、ＴＲ１に比例し、ＴＲ０に反比例し、ＴＲ１、第３ビデオピクチャのための動きベクトルといえるスケーリング用ベクトルｒＭＶ、ＴＲ０により計算されるといえ、さらに、乗算、除算の計算の順序を変えて、ＴＲ１／ＴＲ０を計算し、スケーリング用ベクトルｒＭＶを掛けるようにしても計算の結果が同じになることは明らかであって、上記式１から当業者はＴＲ１／ＴＲ０を計算し、スケーリング用ベクトルｒＭＶを掛ける手法を認識するものと認められる。
　したがって、第１動きベクトルｓＭＶ１を上記式１で求めることは、ＴＲ０に反比例するとともに、ＴＲ１に比例する特定値を計算するステップと、前記特定値と第３ビデオピクチャのための動きベクトルといえるスケーリング用ベクトルｒＭＶとを乗算して第２ビデオピクチャのための動きベクトルである第１動きベクトルｓＭＶ１計算するステップにより、第１動きベクトルｓＭＶ１を求めることを開示するものと認められる。
　ＴＲ０は、第１参照ピクチャと第２参照ピクチャ間の表示時間差であり、第１参照ピクチャと第２参照ピクチャには順序があり、順序には値があるから、第１参照ピクチャと第２参照ピクチャ間の表示時間差は、第３ビデオピクチャの順序値と第１ビデオピクチャ順序値との間の第１順序値差といえる。また、ＴＲ１は、復号化するビデオピクチャと第１参照ピクチャ間の表示時間差であり、復号化するビデオピクチャと第１参照ピクチャには順序があり、順序には値があるから、復号化するピクチャと第１参照ピクチャ間の表示時間差は、第２ビデオピクチャの順序値と第１ビデオピクチャ順序値との間の第２順序値差といえる。
　そうすると、第１の動きベクトルを式１で求めることは、
「（ｉ）第３ビデオピクチャの順序値と第１ビデオピクチャの順序値との間の第１の順序差値に反比例するとともに、
（ｉｉ）第２ビデオピクチャの順序値と第１ビデオピクチャの順序値との間の第２の順序差値に比例する
　特定値を計算するステップと、
　前記特定値と前記第３ビデオピクチャのための動きベクトルとを乗算して前記第２ビデオピクチャのための動きベクトルを計算するステップであって、前記第３ビデオピクチャのための動きベクトルが第３ビデオピクチャと第１ビデオピクチャ間の動きベクトルであり、前記第２ビデオピクチャのための動きベクトルが第２ビデオピクチャと第１ビデオピクチャ間の動きベクトルである、ステップ」
といえ、先願１発明は、これらのステップを含んでいるいえる。
　　
（ウ）「前記第２ビデオピクチャを前記計算された該第２ビデオピクチャの動きベクトルを用いて復号化するステップ」
　　
　上記（３）に記載したとおり、補正後発明１の「前記第２ビデオピクチャを前記計算された該第２ビデオピクチャの動きベクトルを用いて復号化するステップ」は、「前記第２ビデオピクチャを前記計算された該第２ビデオピクチャの動きベクトルを用いて復号化」すればよく、「前記第２ビデオピクチャを前記計算された該第２ビデオピクチャの動きベクトル」と他の動きベクトル「を用いて復号化する」ことを排除するものではないと認められる。
　先願１発明は、
「また、第１参照ピクチャを指示するための第１参照インデックスＲＩ１及び第１動きベクトルｓＭＶ１に対応する参照ブロックＲＢ１と、第２参照ピクチャを指示するための第２参照インデックスＲＩ２及び第２動きベクトルｓＭＶ２に対応する参照ブロックＲＢ２とを出力し、２個の参照ブロックＲＢ１、ＲＢ２のそれぞれに対応する画素値を補間して、補間ブロックＲｅＰを出力し、補間ブロックＲｅＰが予測画像信号Ｐｒｅとし、画像符号化信号を復号した残差復号信号ＤＲと予測画像信号Ｐｒｅとを加算し、復号画像信号とするものである」であり、このことは、第２ビデオピクチャを（第２ビデオピクチャと第１ビデオピクチャ間の動きベクトルである）第２ビデオピクチャのための動きベクトルといえる第１動きベクトルｓＭＶ１と、第２動きベクトルｓＭＶ２を用いて復号するステップを有するといえ、このことは、上記（３）の記載の認定から、「第２ビデオピクチャを第２ビデオピクチャの動きベクトルを用いて復号化するステップ」を有するといえる。
　また、第２ビデオピクチャの動きベクトルは、上記（イ）のとおり計算されるものである。
　したがって、先願１発明は、「前記第２ビデオピクチャを前記計算された該第２ビデオピクチャの動きベクトルを用いて復号化するステップ」を含んでいる。
　　
（エ）まとめ
　以上のとおり、補正後発明１は、先願１発明と同一である。
　特許法第４１条第３項の規定により、先願１は出願公開がされたものであり、
　先願１発明の発明者が補正後発明の発明者と同一の者ではなく、先願１の出願人が本件特許出願の出願人と同一の者ではない。
　そして、本件補正１後の請求項１に係る発明は、先願１の願書に最初に添付した明細書、特許請求の範囲又は図面に記載された発明と同一であるから、特許法第２９条の２の規定により、特許出願の際独立して特許を受けることができない。 
　よって、本件補正１は特許法１７条の２第５項において準用する同法１２６条５項の規定に反している。
　　
［理由２］
（６）引用文献１の記載
　原査定の拒絶の理由に引用された「Joint Video Team (JVT) of ISO/IEC MPEG and ITU-T VCEG, Working Draft Number 2, Revision 0 (WD-2) (JVT-B118), p.1,21,22,62-67, [online], 2001年12月3日, Joint Video Team (JVT), [2008年5月13日検索], インターネットURL:http://ftp3.itu.int/av-arch/jvt-site/2002_01_Geneva/JVT-B118.doc」（上記引用文献１）には、以下の記載がある。
　　
「This document presents the Working Draft Number 2 (WD-2) released by the Joint Video Team (JVT). The JVT is being formed by ITU-T SG16 Q.6 (VCEG) and ISO/IEC JTC 1/SC 29/WG 11 (MPEG). This document is a description of a reference coding method to be used for the development of a new video compression method called JVT Coding as ITU-T Recommendation (H.26L) and ISO/IEC JTC1 Standard (MPEG-4, Part 10).」（１頁１０〜１５行）
［訳：このドキュメントは、ＪＶＴ(Joint Video Team)によりリリースされたワーキングドラフトNo.2(WD-2)を提供するものである。ＪＶＴは、ITU-T SG16 Q.6(VCED)とISO/IEC jtc 1/SC 29/WG 11(MPEG)により作られている。このドキュメントは、ITU-T勧告(H.26L)とISO/IEC JTC1 規格 (MPEG-4, Part 10)として、ＪＶＴコーディングと呼ばれている新しいビデオ圧縮法の発展のために使われる参照コーディング方法の記述である。］
  　
「7.4  Decoder Process for motion vector」（６２頁下から５行）
［訳：7.4　動きベクトルのためのデコーダ処理］
　　
「7.4.2  Motion vectors in direct mode
In direct mode the same block structure as for the co-located macroblock in the temporally subsequent picture is used. For each of the sub-blocks the forward and backward motion vectors are computed as scaled versions of the corresponding vector components of the co-located macroblock in the temporally subsequent picture as described below.
If the multiple reference frame prediction is used, the forward reference frame for the direct mode is the same as the one used for the corresponding macroblock in the temporally subsequent reference picture. The forward and backward motion vectors for direct mode macroblocks are calculated differently depending on whether PSTRUCT and the reference are fields or frames. Also note that if the subsequent reference picture is an intra-coded frame or the reference macroblock is an intra-coded block, the motion vectors are set to zero. With possible adaptive switch of frame/field coding at picture level, a B-frame or its future reference frame can be coded in either frame structure or field structure. Hence, there can be four different combinations of frame or field coding for a pair of a MB in B and its collocated MB in the future reference. Calculations of the two MVs in direct mode are slightly different for the four cases.」（６３頁５〜１８行）
［訳：7.4.2　ダイレクトモードにおける動きベクトル
　ダイレクトモードにおいて、現在のサブシーケンスピクチャの同じ位置を示す(co-located)マクロブロックとして、同じブロックストラクチャが使われる。サブブロックのそれぞれのために、現在のサブシーケンスピクチャの同じ位置を示すマクロブロックの一致するベクトル成分のスケールされたバージョンとして、以下に記述するように、フォワードとバックワード動きベクトルが計算される。
  もし複数のリファレンスフレーム予測を使うならば、ダイレクトモードのフォワードリファレンスフレームは、現在のサブシーケンスリファレンスピクチャの相当するマクロブロックのために使われるフレームと同じである。ダイレクトモードマクロブロックのフォワードとバックワード動きベクトルは、PSTRUCT（picture structure）とリファレンスとがフィールド又はフレームかに基づいて、異なって計算される。もしシーケンスリファレンスピクチャがイントラコーデッドフレーム又はリファレンスマクロブロックがイントラコーデッドブロックならば、動きベクトルはゼロにセットされることもノートする。ピクチャレベルでコードされたフレーム／フィールドのポッシブルアダプティブスイッチを用いて、Ｂフレーム又はそのフューチャリファレンスフレームは、フレームストラクチャ又はフィールドストラクチャでコードされる。それゆえ、Ｂの中のＭＢとフューチャリファレンスのその対応するＭＢのペアのフレーム又はフィールドのコーディングの４つのコンビネーションがある。ダイレクトモードの２つのＭＶの計算は、４つの場合でわずかに違いがある。］
　　
「Case 1: Both the current MB and its collocated are in frame mode
Both the current B and its future reference are in frame structure, as shown in Fig. 4. The forward reference is the frame pointed by the forward MV of the collocated MB and the backward reference is the immediate future reference frame of I or P. Two MVs (MVF,MVB)are calculated by (see Fig. 4)
　　　　　MVF=TRB・MV/TRD
　　　　　MVB=(TRB-TRD)・MV/TRD
where TRB is the temporal distance between the current B frame and the reference frame pointed by the forward MV of the collocated MB, and TRD is the temporal distance between the future reference frame and the reference frame pointed by the forward MV of the collocated MB.」（６３頁１９〜２７行） 
［訳：ケース１：現在のＭＢとその同じ位置を示すものの両方がフレームモードである。
　Fig.4に示すように、現在Ｂとそのフューチャリファレンスとの両方がフレームストラクチャである。フォワードリファレンスは、同じ位置を示すＭＢのフォワードＭＶによって示されるフレームであり、バックワードリファレンスはＩ又はＰであるすぐのフューチャリファレンスフレームである。２つのＭＶ（ＭＶＦ、ＭＶＢ）は次のように計算される（Fig.4参照）
　　　ＭＶＦ＝ＴＲＢ・ＭＶ／ＴＲＤ
　　　ＭＶＢ＝（ＴＲＢ−ＴＲＤ）・ＭＶ／ＴＲＤ
　ここで、ＴＲＢは、現在のＢフレームと同じ位置を示すＭＢのフォワードＭＶによって示されたレファレンスフレームとの時間の距離であり、ＴＲＤは、フューチャリファレンスフレームと同じ位置を示すＭＢのフォワードＭＶによって示されたリファレンスフレームとの時間の距離である。］
　　
　　　　　　　　FIGURE21（６３頁）
　　
「Both the current MB in B and its collocated MB in the future reference of I or P are in frame mode. Solid-line is for frames and dot-line for fields. f1 stands for field 1 and f2 for field 2. 」（６４頁１〜２行）
［訳：Ｂにおける現在のＭＢとＩ又はＰのフューチャレファレンスにおけるその同じ位置を示すＭＢとの両方はフレームの中にある。直線はフレームであり、点線はフィールドである。f1はフィールド１であり、f2はフィールド２である。］
　　
（７）補正後発明１と引用文献１に記載された発明との対比
ア　引用文献１に記載された発明
　引用文献１に記載されたケース１の動きベクトルの計算の仕方を方法の発明（以下「引用発明」という。）として認定すると下記のとおりである。
　　
　　　　　　　　記（引用発明）
　動きベクトルを計算する方法であって、
　フォワードリファレンスは、同じ位置を示すＭＢのフォワードＭＶによって示されるフレームであり、バックワードリファレンスはＩ又はＰであるすぐのフューチャリファレンスフレームであり、２つのＭＶ（ＭＶＦ、ＭＶＢ）は次のように計算される。
　　　ＭＶＦ＝ＴＲＢ・ＭＶ／ＴＲＤ
　　　ＭＶＢ＝（ＴＲＢ−ＴＲＤ）・ＭＶ／ＴＲＤ
　ここで、ＴＲＢは、現在のＢフレームと同じ位置を示すＭＢのフォワードＭＶによって示されたレファレンスフレームとの時間の距離であり、ＴＲＤは、フューチャリファレンスフレームと同じ位置を示すＭＢのフォワードＭＶによって示されたリファレンスフレームとの時間の距離である。
　　
イ　補正後発明１と引用発明との対比
（ア）「第１ビデオピクチャ、第２ビデオピクチャおよび第３ビデオピクチャのセットの内の少なくとも一つのビデオピクチャを復号化する方法」
　　
　引用発明の方法は、現在のＢフレーム、バックワードリファレンスフレーム、フォワードリファレンスを用いて動きベクトルを計算する方法といえるものの、「第１ビデオピクチャ、第２ビデオピクチャおよび第３ビデオピクチャのセットの内の少なくとも一つのビデオピクチャを復号化する方法」ではなく、補正後発明１と相違する。
　　
（イ）「（ｉ）第３ビデオピクチャの順序値と第１ビデオピクチャの順序値との間の第１の順序差値に反比例するとともに、
（ｉｉ）第２ビデオピクチャの順序値と第１ビデオピクチャの順序値との間の第２の順序差値に比例する
　特定値を計算するステップと、
　前記特定値と前記第３ビデオピクチャのための動きベクトルとを乗算して前記第２ビデオピクチャのための動きベクトルを計算するステップであって、前記第３ビデオピクチャのための動きベクトルが第３ビデオピクチャと第１ビデオピクチャ間の動きベクトルであり、前記第２ビデオピクチャのための動きベクトルが第２ビデオピクチャと第１ビデオピクチャ間の動きベクトルである、ステップ」　　
　　
　フレームは、ビデオピクチャといえ、フォワードリファレンス及びバックワードリファレンスはフレームであるから、フォワードリファレンス（リファレンスフレーム）、現在のＢフレーム、バックワードリファレンス（フューチャリファレンスフレーム）は、第１ビデオピクチャ、第２ビデオピクチャ、第３ビデオピクチャといえる。
　フォワードリファレンスは、同じ位置を示すＭＢのフォワードＭＶによって示されるフレームであり、同じ位置を示すＭＢはフューチャリファレンスフレームにある（FIGURE21参照）から、ＭＶは、第３ビデオピクチャと第１ピクチャ間の動きベクトルであり、第３ビデオピクチャのための動きベクトルといえる。
　動きベクトルＭＶＦは現在のＢフレームからフォワードリファレンスへのものであるから、動きベクトルＭＶＦは第２ビデオピクチャと第１ビデオピクチャ間の動きベクトルであり、第２ビデオピクチャのための動きベクトルといえる。
　動きベクトルＭＶＦは
　　　ＭＶＦ＝ＴＲＢ・ＭＶ／ＴＲＤ　：式２
として計算されるから、第２ビデオピクチャのための動きベクトルといえる動きベクトルＭＶＦは、ＴＲＢに比例し、ＴＲＤに反比例し、ＴＲＢと第３ビデオピクチャのための動きベクトル、ＴＲＤにより計算される。
　ＴＲＤは、フューチャリファレンスフレームと同じ位置を示すＭＢのフォワードＭＶによって示されたリファレンスフレームとの時間の距離であり、フューチャリファレンスフレームと同じ位置を示すＭＢのフォワードＭＶによって示されたリファレンスフレームには順序があり、順序には値があるから、フューチャリファレンスフレームと同じ位置を示すＭＢのフォワードＭＶによって示されたリファレンスフレームとの時間の距離は、第３ビデオピクチャの順序値と第１ビデオピクチャ順序値との間の第１順序値差といえる。
　ＴＲＢは、現在のＢフレームと同じ位置を示すＭＢのフォワードＭＶによって示されたレファレンスフレームとの時間の距離であり、現在のＢフレームとリファレンスフレームには順序があり、順序には値があるから、現在のＢフレームと同じ位置を示すＭＢのフォワードＭＶによって示されたレファレンスフレームとの時間の距離は、第２ビデオピクチャの順序値と第１ビデオピクチャ順序値との間の第２順序値差といえる。
　　
　そうすると、補正後発明１と引用発明とは、
「（ｉ）第３ビデオピクチャの順序値と第１ビデオピクチャの順序値との間の第１の順序差値に反比例し、
（ｉｉ）第２ビデオピクチャの順序値と第１ビデオピクチャの順序値との間の第２の順序差値に比例し、
　前記第３ビデオピクチャのための動きベクトルとを乗算して前記第２ビデオピクチャのための動きベクトルを計算するステップであって、前記第３ビデオピクチャのための動きベクトルが第３ビデオピクチャと第１ビデオピクチャ間の動きベクトルであり、前記第２ビデオピクチャのための動きベクトルが第２ビデオピクチャと第１ビデオピクチャ間の動きベクトルである、ステップ」
を含んでいる方法である点で一致し、
　次の点で相違する。
　補正後発明１においては、上記ステップが
「（ｉ）第３ビデオピクチャの順序値と第１ビデオピクチャの順序値との間の第１の順序差値に反比例するとともに、
（ｉｉ）第２ビデオピクチャの順序値と第１ビデオピクチャの順序値との間の第２の順序差値に比例する
　特定値を計算するステップ」と、
「前記特定値と前記第３ビデオピクチャのための動きベクトルとを乗算して前記第２ビデオピクチャのための動きベクトルを計算するステップ」とからなるのに対し、
　引用発明においては、そうではない点。
　　
（ウ）「前記第２ビデオピクチャを前記計算された該第２ビデオピクチャの動きベクトルを用いて復号化するステップ」
　　
　引用発明は、動きベクトルを計算する方法であるので、「前記第２ビデオピクチャを前記計算された該第２ビデオピクチャの動きベクトルを用いて復号化するステップ」を含んでいない。補正後発明１と相違する。
　　
ウ　一致点、相違点
　以上より、補正後発明１と引用発明との一致点、相違点は次のとおりである。
［一致点］
（ｉ）第３ビデオピクチャの順序値と第１ビデオピクチャの順序値との間の第１の順序差値に反比例し、
（ｉｉ）第２ビデオピクチャの順序値と第１ビデオピクチャの順序値との間の第２の順序差値に比例し、
　前記第３ビデオピクチャのための動きベクトルとを乗算して前記第２ビデオピクチャのための動きベクトルを計算するステップであって、前記第３ビデオピクチャのための動きベクトルが第３ビデオピクチャと第１ビデオピクチャ間の動きベクトルであり、前記第２ビデオピクチャのための動きベクトルが第２ビデオピクチャと第１ビデオピクチャ間の動きベクトルである、ステップ
　を含む方法。
　
［相違点１］
　補正後発明１は、「第１ビデオピクチャ、第２ビデオピクチャおよび第３ビデオピクチャのセットの内の少なくとも一つのビデオピクチャを復号化する方法」であり、「前記第２ビデオピクチャを前記計算された該第２ビデオピクチャの動きベクトルを用いて復号化するステップ」を含んでいるのに対し、引用発明は、現在のＢフレーム、バックワードリファレンスフレーム、フォワードリファレンスを用いて動きベクトルを計算する方法であり、「ビデオピクチャを復号化する方法」ではなく、「前記第２ビデオピクチャを前記計算された該第２ビデオピクチャの動きベクトルを用いて復号化するステップ」を含んでいない点。
　　
［相違点２］
　「動きベクトルを計算するステップ」が、
　補正後発明１においては、
「（ｉ）第３ビデオピクチャの順序値と第１ビデオピクチャの順序値との間の第１の順序差値に反比例するとともに、
（ｉｉ）第２ビデオピクチャの順序値と第１ビデオピクチャの順序値との間の第２の順序差値に比例する
　特定値を計算するステップ」と、
「前記特定値と前記第３ビデオピクチャのための動きベクトルとを乗算して前記第２ビデオピクチャのための動きベクトルを計算するステップ」とからなるのに対し、
　引用発明においては、そうではない点。
　　
エ　相違点の判断等
（ア）相違点１について
　引用文献１は、１頁の記載から、ＭＰＥＧやＨ．２６Ｌのようなビデオ圧縮に関連するものである。「Ｂフレーム」という文言は双方向予測フレームを意味することが明らかであり、引用文献１のケース１における動きベクトルは、符号化や復号化に使われることも明らかである。
　そうすると、引用文献１に接した当業者は、引用文献１のケース１における動きベクトルを用いて現在のＢフレームを復号化するようにすることは容易である。
　上記ア（イ）のとおり、動きベクトルＭＶＦはケース１における現在のＢピクチャの動きベクトルで、計算されるものであり、現在のＢピクチャは第２ビデオピクチャであるから、引用発明に「前記第２ビデオピクチャを前記計算された該第２ビデオピクチャの動きベクトルを用いて復号化するステップ」を設け、復号化する方法にすることは当業者が容易に想到できることである。
　　
（イ）相違点２について
　引用発明において、動きベクトルＭＶＦは
　　　ＭＶＦ＝ＴＲＢ・ＭＶ／ＴＲＤ　：式２
として計算されるから、第２ビデオピクチャのための動きベクトルといえる動きベクトルＭＶＦは、ＴＲＢに比例し、ＴＲＤに反比例し、ＴＲＢと第３ビデオピクチャのための動きベクトル、ＴＲＤにより計算される。
　動きベクトルＭＶＦは、上記式２で計算されるところ、乗算、除算の計算の順序を変えても計算の結果が同じになることは明らかであり、ＴＲＢ／ＴＲＤを計算し、その値にＭＶを掛けることは普通に想定できるから、引用発明における動きベクトルを計算するステップを、ＴＲＢ／ＴＲＤを計算するステップとその値にＭＶを乗算するステップとからなるように、
動きベクトルを計算するステップを
「（ｉ）第３ビデオピクチャの順序値と第１ビデオピクチャの順序値との間の第１の順序差値に反比例するとともに、
（ｉｉ）第２ビデオピクチャの順序値と第１ビデオピクチャの順序値との間の第２の順序差値に比例する
　特定値を計算するステップと、
　前記特定値と前記第３ビデオピクチャのための動きベクトルとを乗算して前記第２ビデオピクチャのための動きベクトルを計算するステップであって、前記第３ビデオピクチャのための動きベクトルが第３ビデオピクチャと第１ビデオピクチャ間の動きベクトルであり、前記第２ビデオピクチャのための動きベクトルが第２ビデオピクチャと第１ビデオピクチャ間の動きベクトルである、ステップ」
とすることは、当業者にとって容易である。
　　
（ウ）効果等
　以上のように、相違点１〜２に係る構成はいずれも当業者が容易に想到できたものである。そして、これらの相違点に係る構成を総合しても、補正後発明１が奏する効果は、当業者が容易に予測できたものである。
　したがって、補正後発明１は、引用文献１に記載された発明に基づいて当業者が容易に発明することができたものであるから、特許法２９条２項の規定により特許出願の際独立して特許を受けることができない。 
　よって、本件補正１は特許法１７条の２第５項において準用する同法１２６条５項の規定に反している。
　　
（８）まとめ
　以上のとおり、本件補正１は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　よって、補正却下の決定の結論のとおり決定する。
　　
２　平成２１年６月２３日付け手続補正について次のとおり決定する。
 　 
［補正却下の決定の結論］
　平成２１年６月２３日付けの手続補正を却下する。
　　
［理由］
（１）補正の内容及び目的
　平成２１年５月２５日付けの手続補正は上記のとおり却下されたので、平成２１年６月２３日付けの手続補正（以下「本件補正２」という。）は、平成２０年１１月２７日付けの手続補正によって補正された特許請求の範囲についてする補正である。
　補正前の請求項５、６、８、１４、１５、１７を削除する補正は、請求項の削除を目的とするものである。
　請求項１、２、７、８、１７、２２についてする補正は、補正前の請求項に記載した発明を特定するために必要な事項を限定するものであって、その補正前の請求項に記載された発明とその補正後の請求項に記載される発明の産業上の利用分野及び解決しようとする課題が同一であり、特許請求の範囲の減縮を目的とするものと認められる。
　請求項３〜６、９〜１６、１８〜２１についてする補正は、請求項１または７を引用するものであり、請求項１，７についてする補正は上記のとおり特許請求の範囲の減縮を目的とするものであるから、請求項３〜６、９〜１６、１８〜２１についてする補正は、特許請求の範囲の減縮を目的とするものである。
　　
（２）独立特許要件 
　上記のとおり本件補正２は特許請求の範囲の減縮を目的としているので、本件補正２後における発明が特許出願の際独立して特許を受けることができるものであるか否かを、以下に検討する。
 　 
（３）検討
　本件補正２の請求項１に係る発明は、上記１の補正後の請求項１に係る発明と同じであるから、上記１の［理由］を援用する。
　そうすると、同じ理由で、本件補正２は特許法１７条の２第５項において準用する同法１２６条５項の規定に反している。
　　
（４）まとめ
　以上のとおり、本件補正２は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　よって、補正却下の決定の結論のとおり決定する。
 　 
第３　本願発明について 
１　本願発明 
　平成２１年５月２５日付けの手続補正及び平成２１年６月２３日付けの手続補正は、上記のとおり却下されたので、本願の各請求項に係る発明は、平成２０年１１月２７日付け手続補正により補正された特許請求の範囲の記載からみて、その特許請求の範囲の各請求項に記載した事項により特定されるとおりのものであるところ、請求項１に係る発明（以下「本願発明１」という。）は下記のとおりである。 
　　
　　　　　記（本願発明１）
「第１ビデオピクチャ、第２ビデオピクチャおよび第３ビデオピクチャのセットの内の少なくとも一つのビデオピクチャを復号化する方法であって
　（ｉ）第３ビデオピクチャの順序値と第１ビデオピクチャの順序値との間の第１の順序差値と、
（ｉｉ）第２ビデオピクチャの順序値と第１ビデオピクチャの順序値との間の第２の順序差値と
　に基づき特定値を計算するステップと、
　前記特定値と前記第３ビデオピクチャのための動きベクトルに基づいて前記第２ビデオピクチャのための動きベクトルを計算するステップと、
　少なくとも１つのビデオピクチャを前記計算された動きベクトルを用いて復号化するステップと、
　を含むことを特徴とする方法。」
　　
２　本願発明１と先願１に記載された発明との対比・判断
　本願発明１は、補正後発明１の
「（ｉ）第３ビデオピクチャの順序値と第１ビデオピクチャの順序値との間の第１の順序差値に反比例するとともに、
（ｉｉ）第２ビデオピクチャの順序値と第１ビデオピクチャの順序値との間の第２の順序差値に比例する
　特定値を計算するステップ」における「反比例する」、「比例する」の限定をなくし、
「（ｉ）第３ビデオピクチャの順序値と第１ビデオピクチャの順序値との間の第１の順序差値と、
（ｉｉ）第２ビデオピクチャの順序値と第１ビデオピクチャの順序値との間の第２の順序差値と
　に基づき特定値を計算するステップ」とするものであり、
　補正後発明１の
「前記特定値と前記第３ビデオピクチャのための動きベクトルとを乗算して」における「乗算して」の限定をなくし、
「前記特定値と前記第３ビデオピクチャのための動きベクトルに基づいて」とするものであり、さらに、
　補正後発明１の「前記第３ビデオピクチャのための動きベクトルが第３ビデオピクチャと第１ビデオピクチャ間の動きベクトルであり、前記第２ビデオピクチャのための動きベクトルが第２ビデオピクチャと第１ビデオピクチャ間の動きベクトルである、」という限定をなくすものである。
　原査定の拒絶の理由に引用された先願１の記載事項は、上記第２の２（４）に記載したとおりであり、先願１に記載された発明は、上記第２の２（５）アに記載した先願１発明と同じである。
　本願発明１を限定した補正後発明１は、上記第２の２（５）のとおり、先願１の願書に最初に添付した明細書、特許請求の範囲又は図面に記載された発明と同一であるから、同様の理由により、本願発明１は、先願１の願書に最初に添付した明細書、特許請求の範囲又は図面に記載された発明と同一であり、特許法第２９条の２の規定により、特許を受けることができない。
　　
３　本願発明１と引用文献１に記載された発明との対比・判断
　本願発明１は、補正後発明１の
「（ｉ）第３ビデオピクチャの順序値と第１ビデオピクチャの順序値との間の第１の順序差値に反比例するとともに、
（ｉｉ）第２ビデオピクチャの順序値と第１ビデオピクチャの順序値との間の第２の順序差値に比例する
　特定値を計算するステップ」における「反比例する」、「比例する」の限定をなくし、
「（ｉ）第３ビデオピクチャの順序値と第１ビデオピクチャの順序値との間の第１の順序差値と、
（ｉｉ）第２ビデオピクチャの順序値と第１ビデオピクチャの順序値との間の第２の順序差値と
　に基づき特定値を計算するステップ」とするものであり、
　補正後発明１の
「前記特定値と前記第３ビデオピクチャのための動きベクトルとを乗算して」における「乗算して」の限定をなくし、
「前記特定値と前記第３ビデオピクチャのための動きベクトルに基づいて」とするものであり、さらに、
　補正後発明１の「前記第３ビデオピクチャのための動きベクトルが第３ビデオピクチャと第１ビデオピクチャ間の動きベクトルであり、前記第２ビデオピクチャのための動きベクトルが第２ビデオピクチャと第１ビデオピクチャ間の動きベクトルである、」という限定をなくすものである。
　原査定の拒絶の理由に引用された引用文献１の記載事項は、上記第２の２（６）に記載したとおりであり、引用文献１に記載された発明は、上記第２の２（７）アに記載した引用発明と同じである。
　本願発明１を限定した補正後発明１は、上記第２の２（７）のとおり、引用文献１に記載された発明に基づいて当業者が容易に発明できたものであるから、同様の理由により本願発明１は、引用文献１に記載された発明に基づいて当業者が容易に発明できたものであり、特許法２９条２項の規定により特許を受けることができない。
　　
４　むすび 
　以上のとおり、本願の請求項１に係る発明は、先願１の出願の願書に最初に添付した明細書、特許請求の範囲又は図面に記載された発明と同一であり、特許法第２９条の２の規定により、特許を受けることができない。
　また、本願の請求項１に係る発明は、引用文献１に記載された発明に基づいて当業者が容易に発明することができたものであるから、特許法２９条２項の規定により、特許を受けることができない。
　したがって、残る請求項２〜２８に係る発明について検討するまでもなく、本願は拒絶されるべきものである。
　　
　よって、結論のように審決する。